(57)【要約】【課題】リレー動作信号がチャタリングした場合であっても適正にリレー動作信号を処理できるディジタル型保護継電器を提供することである。【解決手段】論理和演算手段１６にてリレー動作信号の前回値と今回値との論理和を演算し、比較手段１７にて論理和演算手段１６で得られた論理和演算値を定周期で比較する。そして、比較手段１７の比較結果をリレー動作信号として伝送情報記憶部に記憶し伝送処理手段１５にて他の装置に伝送する。これにより、リレー動作信号がチャタリングした場合や複数のリレー動作信号が短時間に状態変化した場合であっても、伝送情報記憶部にバッファオーバーフローを起こすことなくリレー動作信号を保存でき他の装置に伝送可能となる。【選択図】　図１
2004056859.tif 000002
【特許請求の範囲】
【請求項１】
外部からのアナログ量を所定のサンプリング周期で読み込みディジタル量に変換してリレー演算を行いリレー動作信号を出力するリレー演算手段と、前記リレー演算手段で演算されたリレー動作信号に基づいてシーケンス処理を行い外部にトリップ信号を出力するシーケンス処理手段と、リレー動作信号の前回値と今回値との論理和を演算する論理和演算手段と、前記論理和演算手段で得られた論理和演算値を定周期で比較する比較手段と、前記比較手段の比較結果をリレー動作信号として伝送する伝送処理手段とを備えたことを特徴とするディジタル型保護継電器。
【発明の詳細な説明】
【０００１】
【発明の属する技術分野】
本発明は、電力系統の事故を検出して除去するディジタル型保護継電器に関するものである。
【０００２】
【従来の技術】
一般に、ディジタル型保護継電器は電力系統の電気量を所定のサンプリング周期で入力し、アナログ量をディジタル用に変換してリレー演算を行うものである。そして、リレー演算により電力系統に事故が発生していると判定したときは、所定のシーケンス処理演算により保護区間の遮断器に遮断指令を出力し保護区間を電力系統から除去する。
【０００３】
図３は、従来のディジタル型保護継電器のブロック構成図である。電力系統の電気量は計器用変圧器１および計器用変流器２を介してディジタル型保護継電器３の入力変換器４に入力される。
【０００４】
すなわち、ディジタル型保護継電器１の外部から入力されモアナログ量は、このディジタル型保護継電器の入力変換器４に入力され、アナログ量はアナログ／ディジタル変換器５でディジタル量に変換される。この変換されたディジタル量はリレー演算手段６読み込まれてリレー演算処理が実施されリレー動作信号に変換される。
【０００５】
このリレー動作信号はシーケンス処理部７の信号読込処理手段８を介してシーケンス処理手段９に読み込まれシーケンス処理演算が実施される。そして、保護区間の遮断器に対して出力処理手段１０を介してトリッブ信号を出力すると共に、伝送処理部１１にリレー動作信号を出力する。伝送処理部１１は他の装置にリレー動作信号の変化を送信するものである。
【０００６】
伝送処理部１１では、シーケンス処理手段９からリレー動作信号をオフディレータイマ１２で受信し、オフディレータイマ１２によりリレー動作信号のチャタリングを平準化する。オフディレータイマ１２により平準化されたリレー動作信号は保存処理手段１３により伝送情報記憶部１４に記憶され、伝送処理手段１５により他の装置に伝送される。ここで、オフディレータイマ１２リレー動作信号の平準化により伝送情報記憶部１４のバッファオーバーフローを防いでいる。
【０００７】
図４はチャタリングしているリレー動作信号Ｒ１がオフディレータイマ１２により平準化される処理を説明するタイムチャートである。チャタリングしているリレー動作信号Ｒ１に対し、オフディレータイマ１２は所定の限時復帰動作を行い、その結果、連続したリレー動作信号Ｒ２を出力する。
【０００８】
このように、オフディレータイマ１２によりリレーの復帰時間を引き延ばすことにより、ある一定期間中のリレー動作信号のチャタリングが合成され、リレー動作信号の変化が過剰に伝送情報記憶部１４に保存されることを抑制している。
【０００９】
【発明が解決しようとする課題】
ところが、このような従来のディジタル型保護継電器では、複数個のリレー動作信号がある場合には各リレー動作信号にオフディレータイマ１２が個別に必要となる。また、リレー動作信号にチャタリングが発生した場合には伝送情報記憶部１４の記憶容量を超えてデータが記憶されることになり、多数のリレー動作信号に対応するのは伝送処理部１１の処理負担上困難である。
【００１０】
本発明の目的は、リレー動作信号がチャタリングした場合であっても適正にリレー動作信号を処理できるディジタル型保護継電器を提供することである。
【００１１】
【課題を解決するための手段】
請求項１の発明に係るディジタル型保護継電器は、外部からのアナログ量を所定のサンプリング周期で読み込みディジタル量に変換してリレー演算を行いリレー動作信号を出力するリレー演算手段と、前記リレー演算手段で演算されたリレー動作信号に基づいてシーケンス処理を行い外部にトリップ信号を出力するシーケンス処理手段と、リレー動作信号の前回値と今回値との論理和を演算する論理和演算手段と、前記論理和演算手段で得られた論理和演算値を定周期で比較する比較手段と、前記比較手段の比較結果をリレー動作信号として伝送する伝送処理手段とを備えたことを特徴とする。
【００１２】
請求項１の発明に係るディジタル型保護継電器においては、論理和演算手段にてリレー動作信号の前回値と今回値との論理和を演算し、比較手段にて論理和演算手段で得られた論理和演算値を定周期で比較する。そして、比較手段の比較結果をリレー動作信号として伝送情報記憶部に記憶し伝送処理手段にて他の装置に伝送する。これにより、リレー動作信号がチャタリングした場合や複数のリレー動作信号が短時間に状態変化した場合であっても、伝送情報記憶部にバッファオーバーフローを起こすことなくリレー動作信号を保存でき他の装置に伝送可能となる。
【００１３】
【発明の実施の形態】
以下、本発明の実施の形態を説明する。図１は本発明の実施の形態に係るディジタル型保護継電器のブロック構成図である。電力系統の電気量である電圧は計器用変圧器１で検出され、また電流は計器用変流器２で検出されて、ディジタル型保護継電器３に入力される。
【００１４】
ディジタル型保護継電器１では、外部からの入力信号を入力変換器４で入力しディジタル型保護継電器１で取り扱える電気信号に変換する。入力変換器４で変換された電気信号はアナログ量であり、アナログ／ディジタル変換器５でディジタル量に変換される。
【００１５】
アナログ／ディジタル変換器５で変換されたディジタル量はリレー演算手段６読み込まれてリレー演算処理が実施される。すなわち、保護区館内に事故が発生しているか否かの判定が行われ、事故が発生していると判定したときはリレー動作信号を出力する。
【００１６】
このリレー動作信号はシーケンス処理部７の信号読込処理手段８を介してシーケンス処理手段９に読み込まれシーケンス処理演算が実施される。そして、保護区間の遮断器に対して出力処理手段１０を介してトリッブ信号を出力すると共に、伝送処理部１１にリレー動作信号を出力する。
【００１７】
伝送処理部１１は他の装置にリレー動作信号の変化を送信するものであり、リレーシーケンス処理手段９からのリレー動作信号は論理和演算手段１６に入力される。
【００１８】
論理和演算手段１６では、各リレー演算手段６について、前回読み込み時のリレー動作信号と今回読み込み時のリレー動作信号の論理和演算を実施する。比較手段１７は、論理和演算手段１６の演算結果間で定周期Ｔ間隔毎に論理和演算により比較し、その比較結果を保存処理手段１３によりリレー動作信号として伝送情報記憶部１４に保存する。これにより、リレー動作信号のチャタリングは定周期Ｔ間隔毎に平準化される。
【００１９】
図２は、本発明の実施の形態によるリレー動作信号のチャタリングが平準化される処理を説明するタイムチャートである。チャタリングしているリレー動作信号Ｒ１に対し、ある任意の定周期Ｔ間隔毎に、論理和演算手段１６により論理和演算を行った結果が論理和演算処理後のリレー動作信号Ｒ２である。この論理和演算処理後のリレー動作信号Ｒ２を比較手段１７により定周期Ｔ毎の論理和演算結果間で比較した結果が論理和演算比較結果Ｋである。論理和演算比較結果Ｋを保存処理手段１３により伝送情報記憶部１４にリレー動作信号として保存する。従って、伝送処理手段１５からは論理和演算比較結果Ｋで示されるチャタリングのないリレー動作信号型の装置に伝送される。
【００２０】
この実施の形態系によるディジタル型保護縦電器によれば、実装されたリレー演算手段６の動作がチャタリングした場合でも、また複数のリレー演算手段６が短時間に状態変化した場合でも、伝送情報記憶部１４にリレー動作信号をバッファオーバーフローを起こすことなく保存できるので、他の装置に適正なリレー動作信号を伝送できる。
【００２１】
【発明の効果】
以上述べたように本発明によれば、リレー動作信号がチャタリングした場合や複数のリレー演算手段が短時間に状態変化した場合であっても、伝送情報記憶部のバッファオーバーフローを抑制できる。従って、多数のリレー動作信号を処理できる。
【図面の簡単な説明】
【図１】本発明の実施の形態に係るディジタル型保護継電器のブロック構成図。
【図２】本発明の実施の形態に係るディジタル型保護継電器のリレー動作信号のタイムチャート。
【図３】従来のディジタル型保護機電器のブロック構成図。
【図４】従来のディジタル型保護継電器のリレー動作信号のタイムチャート。
【符号の説明】
１…計器用変圧器、２…計器用変流器、３…ディジタル型保護継電器、４…入力変換器、５…アナログ／ディジタル変換器、６…リレー演算手段、７…シーケンス処理部、８…信号読込処理手段、９…シーケンス処理手段、１０…出力処理手段、１１…伝送処理部、１２…オフディレータイマ、１３…保存処理手段、１４…伝送情報記憶部、１５…伝送処理手段、１６…論理和演算手段、１７…比較手段
【図１】
2004056859.tif 000003
【図２】
2004056859.tif 000004
【図３】
2004056859.tif 000005
【図４】
2004056859.tif 000006